(57)【要約】  本発明はバーチャルマネー残高バイパス照会方法を提供し、クライアント側から提出され、支払うべき金額が含まれた購入デマンドを受信するステップと、クライアント側から非同期モードで送信され、該支払うべき金額が含まれた残高照会リクエストを受信するステップと、該残高照会リクエストに基づきユーザの口座残高を照会し、該ユーザの口座残高を支払うべき金額と比較させて結果フラグを得るステップと、非同期モードで該結果フラグをクライアント側に返信するステップとを含む。本発明はまたバーチャルマネー残高バイパス照会システム及び計算機可読記憶媒体を提供した。本発明は、残高がバイパス照会されることにより、ユーザの口座残高の照会はユーザが支払いを確認する前の品物選択段階まで繰り上げられ、システムにおいての取引支払いの成功率を改善した。残高の非同期照会が利用されることで、取引支払いの性能をより改善した。
2014533863.tif 000002
【特許請求の範囲】
【請求項１】
バーチャルマネー残高バイパス照会方法であって、
クライアント側から提出され、支払うべき金額が含まれた購入デマンドを受信するステップと、
クライアント側から非同期モードで送信され、該支払うべき金額が含まれた残高照会リクエストを受信するステップと、
該残高照会リクエストに基づきユーザの口座残高を照会し、該ユーザの口座残高を該支払うべき金額と比較させて結果フラグを得るステップと、
非同期モードで該結果フラグを該クライアント側に返信するステップとを含むことを特徴とするバーチャルマネー残高バイパス照会方法。
【請求項２】
請求項１のバーチャルマネー残高バイパス照会方法において、
該結果フラグは、該ユーザの口座残高が該支払うべき金額より大きいまたは等しいか否かを表すことを特徴とするバーチャルマネー残高バイパス照会方法。
【請求項３】
請求項１のバーチャルマネー残高バイパス照会方法において、
該非同期モードは、AJAX技術またはJSONPプロトコルに基づくことを特徴とするバーチャルマネー残高バイパス照会方法。
【請求項４】
請求項１から３のいずれか１項に記載のバーチャルマネー残高バイパス照会方法において、
上記のクライアント側から非同期モードで送信された残高照会リクエストを受信するステップは、
セキュリティ暗号化ルールで該支払うべき金額を暗号化してなる数字列を受信するステップを含むことを特徴とするバーチャルマネー残高バイパス照会方法。
【請求項５】
請求項４のバーチャルマネー残高バイパス照会方法において、
上記の該残高照会リクエストに基づきユーザの口座残高を照会し、該ユーザの口座残高を該支払うべき金額と比較させて結果フラグを得るステップは、
該セキュリティ暗号化ルールに基づき受信した数字列を該支払うべき金額に復号し、そしてユーザの口座残高と比較させて該結果フラグを得るステップを含むことを特徴とするバーチャルマネー残高バイパス照会方法。
【請求項６】
請求項５のバーチャルマネー残高バイパス照会方法において、
上記の非同期モードで該結果フラグを該クライアント側に返信するステップは、
セキュリティ暗号化ルールで該結果フラグを暗号化してなる数字列を該クライアント側に返信するステップを含むことを特徴とするバーチャルマネー残高バイパス照会方法。
【請求項７】
請求項６のバーチャルマネー残高バイパス照会方法において、
上記の非同期モードで該結果フラグを該クライアント側に返信するステップは、更に、
該結果フラグより表示される情報を確認し、該結果フラグが該ユーザの口座残高が該支払うべき金額より大きいまたは等しいと表示する場合、ユーザに支払い確認をするように通知し、該結果フラグが該ユーザの口座残高が該支払うべき金額より小さいと表示する場合、ユーザに口座リチャージするように通知し、そしてリチャージ用エントランスを提供するステップを含むことを特徴とするバーチャルマネー残高バイパス照会方法。
【請求項８】
バーチャルマネー残高バイパス照会システムであって、
クライアント側から提出され、支払うべき金額が含まれた購入デマンドを受信するためのフロントエンド受信用モジュールと、
クライアント側から非同期モードで送信され、該支払うべき金額が含まれた残高照会リクエストを受信するためのフロントエンド照会用モジュールと、
該残高照会リクエストに基づきユーザの口座残高を照会し、該ユーザの口座残高を該支払うべき金額と比較させて結果フラグを得るための残高照会用モジュールと、
非同期モードで該クライアント側に該結果フラグを返信するための結果返信用モジュールとを含むことを特徴とするバーチャルマネー残高バイパス照会システム。
【請求項９】
請求項８のバーチャルマネー残高バイパス照会システムにおいて、
該残高照会用モジュールで、上記結果フラグは該ユーザの口座残高が支払うべき金額より大きいまたは等しいか否かを表すことを特徴とするバーチャルマネー残高バイパス照会システム。
【請求項１０】
請求項８のバーチャルマネー残高バイパス照会システムにおいて、
該非同期モードはAJAX技術またはJSONPプロトコルに基づくことを特徴とするバーチャルマネー残高バイパス照会システム。
【請求項１１】
請求項８から１０のいずれか１項に記載のバーチャルマネー残高バイパス照会システムにおいて、
該フロントエンド照会用モジュールは、該支払うべき金額をセキュリティ暗号化ルールで暗号化してなる数字列を受信するための暗号化受信用サブモジュールを含むことを特徴とするバーチャルマネー残高バイパス照会システム。
【請求項１２】
請求項１１のバーチャルマネー残高バイパス照会システムにおいて、
該残高照会用モジュールは、受信した数字列を該セキュリティ暗号化ルールに基づき該支払うべき金額に復号し、そしてユーザの口座残高と比較させて該結果フラグを得るための復号比較用サブモジュールを含むことを特徴とするバーチャルマネー残高バイパス照会システム。
【請求項１３】
請求項１２のバーチャルマネー残高バイパス照会システムにおいて、
該結果返信用モジュールは、該結果フラグをセキュリティ暗号化ルールで暗号化してなる数字列を該クライアント側に返信するための暗号化返信用サブモジュールを含むことを特徴とするバーチャルマネー残高バイパス照会システム。
【請求項１４】
請求項１３のバーチャルマネー残高バイパス照会システムにおいて、
上記結果返信用モジュールは、また、該結果フラグが表示した情報を確認し、該結果フラグがユーザの口座残高が該支払うべき金額より大きいまたは等しいと表示した場合、ユーザに支払い確認をするように通知し、該結果フラグが該ユーザの口座残高が支払うべき金額より小さいと表示した場合、ユーザに口座リチャージするように通知し、そしてリチャージ用エントランスを提供するための結果確認用サブモジュールを含むことを特徴とするバーチャルマネー残高バイパス照会システム。
【請求項１５】
計算機可読記憶媒体であって、
クライアント側から提出され、支払うべき金額が含まれた購入デマンドを受信する操作と、
クライアント側から非同期モードで送信され、該支払うべき金額が含まれた残高照会リクエストを受信する操作と、
該残高照会リクエストに基づきユーザの口座残高を照会し、該ユーザの口座残高を該支払うべき金額と比較させて結果フラグを得る操作と、
非同期モードで該クライアント側に該結果フラグを返信する操作とを計算機に完成させるための計算機の実行可能な命令が記憶されたことを特徴とする計算機可読記憶媒体。
【請求項１６】
請求項１５の計算機可読記憶媒体において、
該結果フラグは、該ユーザの口座残高が該支払うべき金額より大きいまたは等しいか否かを表すことを特徴とする計算機可読記憶媒体。
【請求項１７】
請求項１５から１６のいずれか１項に記載の計算機可読記憶媒体において、
上記のクライアント側から提出された購入デマンドを受信する操作は、
セキュリティ暗号化ルールで該支払うべき金額を暗号化してなる数字列を受信する操作を含むことを特徴とする計算機可読記憶媒体。
【請求項１８】
請求項１７の計算機可読記憶媒体において、
上記の該残高照会リクエストに基づきユーザの口座残高を照会し、該ユーザの口座残高を該支払うべき金額と比較させて結果フラグを得る操作は、
受信した数字列を該セキュリティ暗号化ルールに基づき該支払うべき金額に復号し、そしてユーザの口座残高と比較させて該結果フラグを得る操作を含むことを特徴とする計算機可読記憶媒体。
【請求項１９】
請求項１８の計算機可読記憶媒体において、
上記の非同期モードで該クライアント側に該結果フラグを返信する操作は、
該結果フラグをセキュリティ暗号化ルールで暗号化してなる数字列を該クライアント側に返信する操作を含むことを特徴とする計算機可読記憶媒体。
【請求項２０】
請求項１９の計算機可読記憶媒体において、
上記の非同期モードで該クライアント側に該結果フラグを返信する操作は、更に、
該結果フラグが表示した情報を確認し、該結果フラグが該ユーザの口座残高が該支払うべき金額より大きいまたは等しいと表示した場合、ユーザに支払い確認をするように通知し、該結果フラグが該ユーザの口座残高が該支払うべき金額より小さいと表示した場合、ユーザに口座リチャージするように通知し、そしてリチャージ用エントランスを提供する操作を含むことを特徴とする計算機可読記憶媒体。
【発明の詳細な説明】
【発明の詳細な説明】
【０００１】
〔技術分野〕
本発明はバーチャルマネー残高バイパス照会方法、システム及び計算機可読記憶媒体を提供し、バーチャルマネー支払いの技術分野に属す。
〔背景技術〕
バーチャルマネーは、一種の非リアル的で、インターネットでのバーチャルマーケットにおいて流通するための電子マネーである。現在のインターネットでのバーチャルマネー取引過程において、取引過程の全体の安全性を保障するために、一般にシステムはすでに検証済みのユーザIDに基づき該ユーザのシステムでのマネー残高が照会でき、そして、残高情報と今回の取引額情報に基づき、システムはユーザの今回の取引が完成可能か否かを判断する。この判断により今回の取引が完成可能なら、ユーザの今回の取引額が差し引かれ、この判断により今回の取引が完成不可能なら、ユーザの今回の取引エラー情報が返信され、ユーザ残高不足と通知される。
【０００２】
よって、ユーザが支払い取引を行うプロセスにおいて、支払い対象品が選択されたら取引が確認され、取引システムはまずユーザの口座残高を照会し、そして実際の取引情報に基づき結果を返信する。もし口座残高不足の状況が出たら、システムは取引エラーと直接返信し、これにより、膨大量のインターネット応用においてこのような取引エラーが多数回出現し、システムの実際応用においての支払い成功率が低下してしまう。また、支払い取引プロセスの全体にわたりすべてのステップが順番に実施されるため、取引システムはユーザ結果が返信される前に、残高情報照会の返信待ちがブロックされてしまい、システムの実際応用における性能に影響し、またシステムは残高不足の原因で返信の結果とユーザの期待とを完全に相反させることがあり、ユーザの支払い体験にも影響してしまう。
〔内容の開示〕
本発明は、従来のバーチャルマネー取引プロセスにおいて残高不足により膨大量のインターネット応用においてこのような取引エラーが複数回現れ、システムの実際応用においての支払い成功率が低下してしまい、またシステムは残高不足の原因で返信の結果とユーザの期待とを完全に相反させる可能性があり、ユーザの支払い体験が低下してしまう課題を解決するためのものである。ゆえに、本発明はバーチャルマネー残高バイパス照会方法及びシステムを提供した。
【０００３】
バーチャルマネー残高バイパス照会方法は、クライアント側から提出され、支払うべき金額が含まれた購入デマンドを受信するステップと、クライアント側から非同期モードで送信され、該支払うべき金額が含まれた残高照会リクエストを受信するステップと、該残高照会リクエストに基づきユーザの口座残高を照会し、該ユーザの口座残高を支払うべき金額と比較させて結果フラグを得るステップと、非同期モードで該結果フラグをクライアント側に返信するステップとを含む。
【０００４】
バーチャルマネー残高バイパス照会システムは、フロントエンド受信用モジュールとフロントエンド照会用モジュールと残高照会用モジュールと結果返信用モジュールとを含む。フロントエンド受信用モジュールはクライアント側から提出され、支払うべき金額が含まれた購入デマンドを受信するためのものであり、フロントエンド照会用モジュールはクライアント側から非同期モードで送信され、該支払うべき金額が含まれた残高照会リクエストを受信するためのものであり、残高照会用モジュールは受信した残高照会リクエストに基づきユーザの口座残高を照会し、ユーザの口座残高を支払うべき金額と比較させて結果フラグを得るためのものであり、結果返信用モジュールは非同期モードでクライアント側に該結果フラグを返信するためのものである。
【０００５】
計算機可読記憶媒体は、クライアント側から提出され、支払うべき金額が含まれた購入デマンドを受信する操作と、クライアント側から非同期モードで送信され、該支払うべき金額が含まれた残高照会リクエストを受信する操作と、該残高照会リクエストに基づきユーザの口座残高を照会し、該ユーザの口座残高を支払うべき金額と比較させて結果フラグを得る操作と、非同期モードでクライアント側に該結果フラグを返信する操作とを計算機に完成させるための計算機の実行可能な命令が記憶された。
【０００６】
以上の本発明の技術案から分かるように、残高がバイパス照会されることにより、ユーザの口座残高の照会はユーザが支払いを確認する前の品物選択段階まで繰り上げられ、システムにおいての取引支払いの成功率を改善した。残高の非同期照会が利用されることで、取引支払いの性能をより改善した。
〔発明を実施するための形態〕
本発明の技術案と長所を更に明確にするために、以下に図面を利用して本発明の実施形態についてより詳細に説明する。
【０００７】
本発明の実施形態のバーチャルマネー残高バイパス照会方法は、クライアント側から提出され、支払うべき金額が含まれた購入デマンドを受信するステップと、非同期モードでクライアント側からの、該支払うべき金額が含まれた残高照会リクエストを受信するステップと、受信した該残高照会リクエストに基づきユーザの口座残高を照会し、ユーザの口座残高を支払うべき金額と比較させて結果フラグを得るステップと、非同期モードでクライアント側に該結果フラグを返信するステップとを含む。以下、オンラインゲームに対する残高バイパス照会を例として明細書の図面と組み合わせ、本実施形態について具体的に説明する。図１に示すように、該当するバーチャルマネー残高バイパス照会方法は以下のようなステップを含む。
【０００８】
ステップＳ１１、クライアント側から提出され、支払うべき金額が含まれた購入デマンドを受信する。
【０００９】
具体的には、ユーザがバーチャルマネーを利用して取引を行う場合、先ず購入デマンドが生成され、該購入デマンドには支払うべき金額や購入品のカテゴリ、数などが含まれる。購入デマンドが生成されたらクライアント側に送信され、クライアント側で更に処理される。
【００１０】
ステップＳ１２、クライアント側から非同期モードで送信され、該支払うべき金額が含まれた残高照会リクエストを受信する。
【００１１】
具体的には、ユーザがバーチャルマネー支払いインターフェースを開けて支払いを確認する前に、口座残高不足によりシステムより取引エラーが直接返信されることを避けるために、フロントエンドプログラムにより非同期リクエストが送信され、該ユーザの対応口座の残高が得られる。その該当する非同期モードで残高照会リクエストの送信はAJAX(Asynchronous JavaScript（登録商標） and XMLと非同期Java（登録商標）スクリプトとXMLプログラミング言語)技術に基づいた方式での送信でもいいし、JSONPプロトコルに基づいた方式での送信でもいい。該残高照会リクエストは該当する支払うべき金額が含まれる。また、ユーザが支払いの関連情報をよりよく把握し、支払いをより早く完成するように、非同期リクエストで該残高照会リクエストが送信される前に、ユーザが取引支払いを行うフロントエンドインターフェースに支払いと関連する取引の数や取引方式、支払うべき金額、支払い確認などの機能が表示されてもいい。
【００１２】
ステップＳ１３、該残高照会リクエストに基づきユーザの口座残高を照会し、該ユーザの口座残高を該支払うべき金額と比較させて結果フラグを得る。
【００１３】
具体的には、非同期モードで送信された残高照会リクエストを受信したら、バックエンドプログラムがユーザから選択された取引支払い情報に基づき該ユーザの対応するバーチャルマネー口座残高と比較して結果フラグを得る。該結果フラグは、ユーザの口座残高が支払うべき金額より大きいかまたは等しいかについてのみを意味する。
【００１４】
更に、非同期コールバックの方式で照会することで、ユーザの口座残高の情報のセキュリティを保障するために、残高照会のプロセスにおいて、セキュリティ暗号化ルールが導入されてもいい。すなわち、まずフロントエンドプログラムはセキュリティ暗号化ルールで該支払うべき金額を数字列に暗号化し、そしてバックエンドプログラムに送信する。バックエンドプログラムは暗号化された数字列を得た後、受信した数字列を上記のセキュリティ暗号化ルールで該支払うべき金額に復号し、そしてユーザの口座残高と比較させて結果フラグを得て、そして結果フラグをセキュリティ暗号化ルールで数字列に暗号化してクライアント側に返信する。残高バイパス照会のプロセスの全体において、セキュリティ暗号化ルールはフロントエンドプログラムとバックエンドプログラムとに記憶され、またフロントエンドプログラムとバックエンドプログラムとのインタラクションにおいてルールされた結果フラグのみ返され、ユーザ実際の口座残高の情報がなく、ユーザ口座情報のセキュリティが保障される。
【００１５】
ステップＳ１４、非同期モードで該結果フラグをクライアント側に返信する。
【００１６】
具体的には、フロントエンドプログラムより非同期モードでの残高照会の結果が受信されたら、結果フラグが示す情報が確認され、もし該結果フラグはユーザの口座残高が支払うべき金額より大きいまたは等しいと示すなら、ユーザに支払い確認を行うように通知され、もし該結果フラグはユーザの口座残高が支払うべき金額より小さいと示すなら、ユーザに口座リチャージするように通知され、そしてリチャージ用エントランスが提供される。
【００１７】
以下、ユーザがオンラインゲームに対し取引リチャージすることを例として、バーチャルマネー残高バイパス照会の方法の例を挙げる。図２に示すように、該方法は、
ステップＳ２１、ユーザがサードパーティアプリにおいて品物を選択購入する時に、取引支払い画面を表示する。
【００１８】
ステップＳ２２、システムがページレンダリング用モジュールをロードすると同時に残高照会用モジュールをもロードする。
【００１９】
ステップＳ２３、残高照会用モジュールのフロントエンドプログラムはセキュリティ暗号化ルールで暗号化された取引金額がバックエンドに送信してもよく、バックエンドプログラムは、ユーザの口座残高を該支払うべき金額と比較させてユーザの残高が十分か否かを判断し、結果フラグを得る。システムにより、ステップＳ２３に基づき返信された結果フラグが示した情報が確認され、もしユーザが今回の取引支払いをしてもいいなら、ステップＳ２４が行われ、そうでなければステップＳ２５が行われる。
【００２０】
ステップＳ２４、システムのページレンダリング用モジュールは、ユーザ支払いの確認ボタンをオープンする。
【００２１】
ステップＳ２５、システムのページレンダリング用モジュールは、ユーザ支払い用のエントランスを遮蔽して、ユーザ残高不足と提示し、ユーザをリチャージ用のエントランスに案内する。
【００２２】
本実施例の技術案を利用すれば、ユーザの口座残高がバイパス照会されることで、ユーザの口座残高の照会はユーザが支払いを確認する前の品物選択段階まで繰り上げられ、システムにおいての取引支払いの成功率を改善した。残高の非同期照会が利用されることで、取引支払いの性能をより改善した。フロントエンドとバックエンドとでセキュリティ暗号化ルールが導入され、また照会結果として暗号化された結果フラグのみ返信されることにより、ユーザの口座残高の照会のセキュリティが保障される。また、ユーザは今回実際に取引支払いをする前に、リチャージすべきかまたは取引できるかが分かり、ユーザの取引支払いの体験を改善した。
【００２３】
また、本発明の実施形態がバーチャルマネー残高バイパス照会システムを提供した。該システムは図３に示すように、ユーザのために取引支払いを提供するページレンダリング用モジュールとユーザが残高を照会するための残高照会用モジュールとを備える。ページレンダリング用モジュールの残高照会フロントエンドプログラムは、ユーザのために取引の数や取引方式、支払うべき金額、支払い確認などを表示し、また非同期リクエストで残高照会用モジュールに対し残高を照会する。残高照会用モジュールの残高照会バックエンドプログラムは、支払うべき金額とユーザの口座残高との比較で今回の支払いが完成可能か或いはリチャージが必要かを確認し、そしてその結果を非同期リクエストで残高照会フロントエンドプログラムに送信する。以下、明細書の図面を利用して本実施形態のバーチャルマネー残高バイパス照会システムについて説明する。該バーチャルマネー残高バイパス照会システムは、図４に示すように、フロントエンド受信用モジュール４１とフロントエンド照会用モジュール４２と残高照会用モジュール４３と結果返信用モジュール４４とを備える。
【００２４】
フロントエンド受信用モジュール４１は、クライアント側からの、支払うべき金額が含まれた購入リクエストを受信するためのものである。
【００２５】
フロントエンド照会用モジュール４２は、クライアント側から非同期モードで送信され、該支払うべき金額が含まれた残高照会リクエストを受信するためのものである。
【００２６】
残高照会用モジュール４３は、受信した残高照会リクエストに基づきユーザの口座残高を照会し、該ユーザの口座残高を支払うべき金額と比較させて結果フラグを得るためのものである。
【００２７】
結果返信用モジュール４４は、非同期モードでクライアント側に該結果フラグを返信するためのものである。
【００２８】
オプションとして、残高照会用モジュール４３において、上記結果フラグはユーザの口座残高が支払うべき金額より大きいか或いは等しいかのみを示す。
【００２９】
オプションとして、上記非同期モードはAJAX技術或いはJSONPプロトコルに基づく。
【００３０】
オプションとして、フロントエンド照会用モジュール４２は該支払うべき金額をセキュリティ暗号化ルールで暗号化してなる数字列を受信するための暗号化受信用サブモジュール４２１を含み、上記残高照会用モジュール４３は受信した数字列を上記セキュリティ暗号化ルールに基づき該支払うべき金額に復号し、そしてユーザの口座残高と比較させて結果フラグを得る復号比較用サブモジュール４３１を含む。
【００３１】
オプションとして、結果返信用モジュール４４は該結果フラグをセキュリティ暗号化ルールで暗号化してなる数字列を該クライアント側に返信する暗号化返信用サブモジュール４４１を含む。該結果返信用モジュール４４は、また結果確認用サブモジュール４４２を含み、結果確認用サブモジュール４４２は、結果フラグより表示された情報を確認するためのもので、結果フラグがユーザの口座残高が支払うべき金額より大きい或いは等しいと表示する場合、ユーザに支払い確認をするように通知し、結果フラグがユーザの口座残高が支払うべき金額より小さいと表示する場合、ユーザに口座リチャージするように通知し、そしてリチャージ用エントランスを提供する。
【００３２】
上記バーチャルマネー残高バイパス照会システムに含まれた各モジュールの処理機能に関する実施形態は上記の方法の実施形態においてすでに記載され、ここで再び記載しないことにする。
【００３３】
本実施例の技術案を利用すれば、残高がバイパス照会されることにより、ユーザの口座残高の照会はユーザが支払いを確認する前の品物選択段階まで繰り上げられ、システムにおいての取引支払いの成功率を改善した。残高の非同期照会が利用されることで、取引支払いの性能をより改善した。フロントエンドとバックエンドとでセキュリティ暗号化ルールが導入され、また照会結果として暗号化された結果フラグのみ返信されることにより、ユーザの口座残高の照会のセキュリティが保障される。また、ユーザが今回実際に取引支払いをする前にリチャージすべきか或いは取引できるかが分かり、ユーザの取引支払い体験を改善した。
【００３４】
なお、上記実施例の全部または部分的な内容はハードウェアにより実現してもいいし、プログラムより関連するハードウェアを実施させて完成してもよく、上記プログラムは計算機可読記憶媒体に記憶してもよく、上記記憶媒体はROMや、ディスク、CDなどであってもいいことは当業者が理解できる。
【００３５】
以上に述べた内容は、本発明の優れた実施形態のみであり、本発明の保護範囲はこれに限らない。いずれかの当業者が本発明により開示した技術範囲において簡単に想到できる変化或いは置き換えも本発明の保護範囲内に覆わされるはずである。そのため、本発明の保護範囲は請求の範囲を原則とすべきである。
〔産業上の利用可能性〕
本発明の技術案は、残高がバイパス照会されることにより、ユーザの口座残高の照会はユーザが支払いを確認する前の品物選択段階まで繰り上げられ、システムにおいての取引支払いの成功率を改善した。残高の非同期照会が利用されることで、取引支払いの性能をより改善した。フロントエンドとバックエンドとでセキュリティ暗号化ルールが導入され、また照会結果として暗号化された結果フラグのみ返信されることにより、ユーザの口座残高の照会のセキュリティが保障される。
【図面の簡単な説明】
【００３６】
【図１】本発明の実施形態のバーチャルマネー残高バイパス照会方法の流れを示す図である。
【図２】本発明の実施形態のユーザがオンラインゲームに対する取引リチャージを例とするバーチャルマネー残高バイパス照会方法の流れを示す図である。
【図３】本発明の実施形態のバーチャルマネー残高バイパス照会システムの機能ブロック図である。
【図４】本発明の実施形態のバーチャルマネー残高バイパス照会システムの構成を示す図である。
【図１】
2014533863.tif 000003
【図２】
2014533863.tif 000004
【図３】
2014533863.tif 000005
【図４】
2014533863.tif 000006
【国際調査報告】
2014533863.tif 000007
2014533863.tif 000008
2014533863.tif 000009
2014533863.tif 000010
2014533863.tif 000011
2014533863.tif 000012